(57)【特許請求の範囲】
【請求項１】
色を表示するための複数の表示枠が１枚の用紙の一面上に所定数の列および桁に整列して配列されたカラーチャートであって、相互に所定の列数だけ離隔して配置された複数の色基準列の各々の中間に位置する色基準表示枠はシアン、マゼンダ、イエローのいずれか１つまたは２つの網点濃度が１００％で表示され、相互に隣接する２つの色基準列間に配置される複数の列の各色基準表示枠は前記相互に隣接する２つの色基準列の一方の色基準表示枠のシアン、マゼンダ、イエローのいずれか１つの網点濃度が他方の色基準列の色基準表示枠の対応する１つの網点濃度に段階的に近似するように増加または減少された網点濃度にそれぞれ選定され、各列は各々の色基準表示枠から一方の端部に向かって該色基準表示枠に表示された色の明度を段階的に大きくした色をそれぞれ表示する１組の明度増加表示枠と、色基準表示枠から他方の端部に向かって該色基準表示枠に表示された色の明度を段階的に小さくした色をそれぞれ表示する所定の枠数の明度減少表示枠と、明度減少表示枠から前記他方の端部の方向へ所定の表示枠数だけ離隔した位置に配置されかつ色基準表示枠に表示された色の彩度を所定の値だけ小さくした色を表示する少なくとも１つの彩度基準表示枠と、彩度基準表示枠から前記他方の端部に向かって該彩度基準表示枠に表示された色の明度を段階的に大きくした色をそれぞれ表示する１組の彩度増加表示枠と、彩度基準表示枠から明度減少表示枠に向かって該彩度基準表示枠に表示された色の明度を段階的に小さくした色をそれぞれ表示する所定の枠数の彩度減少表示枠とを有することを特徴とするカラーチャート。
【請求項２】
前記各表示枠の近傍にはその表示枠に表示される色の構成を網点濃度で示すプロセスカラー値と、該プロセスカラー値に対応するＲＧＢ換算値およびＨＴＭＬ用１６進数がそれぞれ付されていることを特徴とする請求項１記載のカラーチャート。
【請求項３】
前記各ＨＴＭＬ用１６進数のうちの国際安全色のＨＴＭＬ用１６進数に合致する表示枠には国際安全色であることを示すようにアンダーライン、符号、或いはその他の適当な指示手段が付されていることを特徴とする請求項２記載のカラーチャート。
【請求項４】
前記表示枠は横長の用紙の一面上に表示され、該用紙は所定の数の列毎にジグザグ状に折り畳まれていることを特徴とする請求項１、２または３記載のカラーチャート。
【請求項５】
前記色基準列の各基準表示枠の近傍またはその中にはその列の色基準表示枠に表示される色の慣用色名を表わす記号がそれぞれ付されていることを特徴とする請求項１〜４のいずれか一項に記載のカラーチャート。
【請求項６】
前記各表示枠内には白抜きおよび墨乗せした記号または文字が表示されていることを特徴とする請求項１〜５のいずれか一項に記載のカラーチャート。
【請求項７】
前記各明度増加表示枠および各彩度増加表示枠には対応するそれぞれの基準表示枠に表示された色を１００％として算出される各々の明度変化の割合を示す数値が表示されていることを特徴とする請求項１〜６のいずれか一項に記載のカラーチャート。
【発明の詳細な説明】
【０００１】
【発明の属する技術分野】
本発明はグラフィック、Ｗebデザイン、ＣＧ、ファッション、インテリア、プロダクト等の種々の分野において用いられるカラーチャートに関する。
【０００２】
【従来の技術】
カラーチャートは、使用する色を決定する上で、グラフィック、ファッション、インテリア、プロダクト等の旧来の分野は勿論のこと、昨今、急速に伸びているＷebデザインやＣＧ等のコンピューター関連分野においても重宝されているものである。
【０００３】
しかしながら、従来のカラーチャートは、１頁上に、縦軸にシアン、マゼンダ、イエロー、墨の１つについて網点濃度を変化させ、横軸に別の１つのついて網点濃度を変化させたことによって表される各色を表示するように構成されている。このため、例えば、シアン５％、イエロー１０％、マゼンダ５％、墨０％の色と、シアン１０％、イエロー５％、マゼンダ５％、墨０％の色との違いを見るには、それぞれのページを開いて見比べねばならず、所望の色を直感的に把握することが困難であった。
【０００４】
一方、近年のコンピューター技術の発展により、印刷もデジタル系ＣＴＰ（Computer to Plate）印刷方式（デジタルデータからＰＳ版（刷版）を作成して印刷を行う方式）が主流となっている。このため、デザイン作業はＤＴＰ（Desk Top Publishing）により行われ、この作業における色選定はプロセスカラー値（各原色の網点濃度）ではなく、ＲＧＢ値によって行われるのであるが、ＲＧＢ値に対応したカラーチャートがなく、ＣＲＴ画面上で適宜に変更して選定していた。
【０００５】
また、近年、その需要が大きいＷebデザインでは、ＨＴＭＬ用１６進値によって色を決めており、ＨＴＭＬ用１６進値に対応したカラーチャートの出現が希求されていた。加えて、このＨＴＭＬ用１６進値で表わされる色は、使用するコンピューターの性能によって大きな差異があるだけでなく、Ｗeb上に表示させようとしたとき、それを読み取るブラウザによってまったく異なる色になってしまう場合がある。このような色違いが生じるのを防止するために、どのブラウザを用いても同じ色を表示するＨＴＭＬ用１６進値（以下、このＨＴＭＬ用１６進値で表わされる色を「国際安全色」と言う。）が選定されているが、どのような色が国際安全色なのかを全体的に把握するためのものはなく、それに対応したカラーチャートの出現が望まれていた。
【０００６】
更に、着色領域に文字や記号を白抜きや黒で表示した場合、それがどのように表わされるのか判断する場合、例えば、白抜きで文字を書いた場合に読むことができるかを判断する場合、指標として使用できるものがなく、実際にＣＲＴに表示させて或いは印刷してみなければならなかった。
【０００７】
【発明が解決しようとする課題】
本発明の目的は、類似した色の比較を容易に行うことができ、色の違いを直感的に把握することができるカラーチャートを提供することにある。
【０００８】
本発明の別の目的は、ＲＧＢ値やＨＴＭＬ用１６進値によって表わされる色を簡便に認識でき、かつ、その色のＲＧＢ値やＨＴＭＬ用１６進値を読み取ることができるカラーチャートを提供することにある。
【０００９】
本発明のまた別の目的は、Ｗebデザインを行うときに、国際安全色の色を簡便に認識でき、かつ、その色のＲＧＢ値やＨＴＭＬ用１６進値を読み取ることができるカラーチャートを提供することにある。
【００１０】
更に、本発明の別の目的は、着色領域に文字や記号を白抜きや黒で表示したときに、それがどのように表わされるのかを簡便に認識できるカラーチャートを提供することである。
【００１１】
【課題を解決するための手段】
本発明によるカラーチャートは、色を表示するための複数の表示枠が１枚の用紙の一面上に所定数の列および桁に整列して配列されたカラーチャートである。
該カラーチャートには複数の色基準列が相互に所定の桁数だけ離隔して配置されている。各色基準列の中間には色基準表示枠が位置しており、各色基準表示枠はシアン、マゼンダ、イエローのいずれか１つまたは２つの網点濃度が１００％で表示されている。相互に隣接する２つの色基準列間に配置される複数の列の各色基準表示枠はこれら２つの色基準列の一方の色基準表示枠のシアン、マゼンダ、イエローのいずれか１つの網点濃度が他方の色基準列の色基準表示枠の対応する１つの網点濃度に段階的に近似するように増加または減少された網点濃度にそれぞれ選定された色が表示されている。各列は、各々の色基準表示枠から一方の端部に向かって該色基準表示枠に表示された色の明度を段階的に大きくした色をそれぞれ表示する１組の明度増加表示枠と、色基準表示枠から他方の端部に向かって該色基準表示枠に表示された色の明度を段階的に小さくした色をそれぞれ表示する所定の枠数の明度減少表示枠と、明度減少表示枠から前記他方の端部の方向へ所定の表示枠数だけ離隔した位置に配置されかつ色基準表示枠に表示された色の彩度を所定の値だけ小さくした色を表示する少なくとも１つの彩度基準表示枠と、彩度基準表示枠から前記他方の端部に向かって該彩度基準表示枠に表示された色の明度を段階的に大きくした色をそれぞれ表示する１組の彩度増加表示枠と、彩度基準表示枠から明度減少表示枠に向かって該彩度基準表示枠に表示された色の明度を段階的に小さくした色をそれぞれ表示する所定の枠数の彩度減少表示枠とをそれぞれ有している。
【００１２】
これにより、本発明のカラーチャートは、各列において中央の表示枠に暗色が表示されそして両端に行くに従って順次に明色となるように配列されると共に、列毎に順次に異なった色相の色が表示されるため、類似した色が並んで表示されることになり、直感的に色の違いを把握することが可能となり、かつ、所望の色を選定するために複数ページを比較検討する煩雑さを回避し、直接的に選定することが可能となる。
【００１３】
本発明によるカラーチャートは、各表示枠の近傍にその表示枠に表示される色の構成を網点濃度で示すプロセスカラー値と、該プロセスカラー値に対応するＲＧＢ換算値およびＨＴＭＬ用１６進数とをそれぞれ付すように構成することもできる。ＲＧＢ換算値は主としてＤＴＰにおいて色を選定するのに用いられ、一方、ＨＴＭＬ用１６進数は主としてＷebデザインにおいて色を選定するのに用いられ、いずれも所望の色を簡単に設定することが可能となる。
【００１４】
本発明によるカラーチャートはまた、各表示枠に付されたＨＴＭＬ用１６進数のうち、国際安全色のＨＴＭＬ用１６進数に合致するものの表示枠に国際安全色であることを示すように、アンダーライン、符号、或いはその他の適当な指示手段を付すように構成してもよい。このことは、Ｗebデザインにおいて国際安全色であるか否かを簡単に認識できるため、意図しない色が表示されてしまうのを確実に回避することが可能である。
【００１５】
本発明によるカラーチャートは更に、表示枠が表示される用紙に横長の用紙を使用し、この用紙を所定の数の列毎にジグザグ状に折り畳むように構成することもできる。用紙をジグザグ状に折り畳んでいることにより、カラーチャートを簡単に広げて全部の表示枠を一度に見ることが可能となる。加えて、用紙の一方の短辺側の列を他方の短辺側の列に隣接させることにより、色立体的な機能を具備することが可能となり、色相の変化を連続して把握することが可能となる。
【００１６】
また、本発明によるカラーチャートは、各色基準列の各基準表示枠の近傍またはその中に、その列の色基準表示枠に表示される色の慣用色名を表わす記号をそれぞれ付すように構成することもでき、これにより、基準色がどれであるかを簡単かつ確実に把握することが可能となる。
【００１７】
更に、本発明によるカラーチャートは、各表示枠内に白抜きおよび墨乗せした記号または文字を表示することもでき、これにより、実際にＣＲＴに表示させたり、印刷したりすることなしに、文字等を読み取ることができるか否かを判断することが可能となる。
【００１８】
更に、本発明によるカラーチャートは、各明度増加表示枠および各彩度増加表示枠に、対応するそれぞれの基準表示枠に表示された色を１００％として算出された各々の明度変化の割合を示す数値を表示するように構成することもでき、これにより、カラーチャートに表示されていない中間の色を推測して選定する作業を容易に行うことが可能になる。
【００１９】
【発明の実施の形態】
図１および図２は、本発明の実施例によるカラーチャートを示す図で、横長の用紙１の一面に色を表示するための複数の表示枠Ｆが表示されている。表示枠Ｆは所定の数の列２(1)〜２(m)および所定の数の桁３(1)〜３(n)に整列して配列されている。複数の表示枠の列２(1)〜２(m)のうちの一つ、好ましくは、一端に位置する列２(1)と、この列２(1)から所定の列数置き（図示の場合、４列置き）の位置に位置する列（２(6)、２(11)、...）は、後述から明らかとなる理由により、色基準列２(s)として参照される。
【００２０】
各列の中間位置（図示の場合、桁３(11)の位置）の表示枠Ｆは、その列の基本的な色相を示す色基準表示枠Ｆ(s)として用いられる。各色基準列２(s)の色基準表示枠Ｆ(s)は、シアン、マゼンダ、イエロー（以下、それぞれＣ、Ｍ、Ｙと略記する。）のいずれか１つまたは２つの網点濃度が１００％で表示された色、所謂、ベタの色を表示する。相互に隣接する２つの色基準列２(s)間に配置される各列の色基準表示枠Ｆ(s)には、当該２つの色基準列の一方の色基準表示枠におけるＣ、Ｍ、Ｙのいずれか１つの網点濃度が他方の色基準列の色基準表示枠Ｆ(s)の対応する１つの網点濃度に段階的に近似するように増加または減少された網点濃度にそれぞれ選定された色が表示されている。また、所望の色の選定作業を行う上で各列間における色相変化は連続的に行われているのが好ましい。このため、一端側の列から他端側の列に行くに従って、例えば、色基準表示枠Ｆ(s)のＣの網点濃度のみを１００％、８０％、６０％、・・・０％と段階的に減少させ（このとき、Ｍの網点濃度は０％、Ｙの網点濃度は１００％である。）、次いで、Ｍの網点濃度のみを０％、２０％、４０％、・・・１００％と段階的に増加させた後、Ｙの網点濃度のみを１００％、８０％、６０％、・・・０％と段階的に減少させ、今度は逆に、Ｃの網点濃度のみを段階的に増加させ、Ｍの網点濃度のみを段階的に減少させ、最後にＹの網点濃度を段階的に増加させる。これにより、Ｃ、Ｍ、Ｙのいずれか２つの網点濃度を段階的に変化させたときのすべての色を表示することができる。
【００２１】
図２により詳細に示すように、各列は、各々の色基準表示枠Ｆ(s)から一方の端部（図示の場合、上方）に向かって、この色基準表示枠Ｆ(s)に表示された色の明度を段階的に大きくした色をそれぞれ表示する１組の明度増加表示枠Ｆ(li)と、色基準表示枠Ｆ(s)から他方の端部（図示の場合、下方）に向かって、この色基準表示枠Ｆ(s)に表示された色の明度を段階的に小さくした色をそれぞれ表示する所定の枠数（図示の場合、４つ）の明度減少表示枠Ｆ(ld)と、明度減少表示枠Ｆ(ld)から前記他方の端部の方向へ所定の表示枠数だけ離隔した位置（図示の場合、桁３(19)の位置）に配置され、かつ、色基準表示枠Ｆ(s)に表示された色の彩度を所定の値だけ小さくした色を表示する少なくとも１つの彩度基準表示枠Ｆ(cs)と、彩度基準表示枠Ｆ(cs)から前記他方の端部に向かって、この彩度基準表示枠Ｆ(cs)に表示された色の明度を段階的に大きくした色をそれぞれ表示する１組の彩度増加表示枠Ｆ(ci)と、彩度基準表示枠Ｆ(cs)から明度減少表示枠Ｆ(ld)に向かって、この彩度基準表示枠Ｆ(cs)に表示された色の明度を段階的に小さくした色をそれぞれ表示する所定の枠数（図示の場合、３つ）の彩度減少表示枠Ｆ(cd)とをそれぞれ有している。
【００２２】
選択的ではあるが、各色基準列２(s)の各基準表示枠Ｆ(s)およびＦ(cs)には、色基準列２(s)の色相を文字で把握すると共に色基準列と他の列との識別を容易にするために、色基準表示枠Ｆ(s)に表示される色の慣用色名を表わす記号、例えば、Ｒ（レッド）、Ｙ（イエロー）、Ｇ（グリーン）、Ｃ（シアン）、Ｂ（ブルー）、Ｍ（マゼンダ）がそれぞれ付されている。また、各表示枠Ｆ内には、実際にＣＲＴに表示させたり印刷したりしたときに文字等がどのように表示されるのかを認識するために、白抜きおよび墨乗せした記号または文字（図示の場合、丸点）が表示されている。更に、各明度増加表示枠Ｆ(li)および各彩度増加表示枠Ｆ(ci)には、カラーチャートに表示されていない中間の色を容易に推測できるようにするために、対応するそれぞれの基準表示枠Ｆ(s)およびＦ(cs)に表示された色を１００％として算出された各々の明度変化の割合を示す数値Ｒ(l)およびＲ(c)がそれぞれ表示されている。
【００２３】
各表示枠Ｆの近傍には、その表示枠に表示される色の構成を示す網点濃度で示すプロセスカラー値Ｖ(p)と、該網点濃度に対応するＲＧＢ換算値Ｖ(rgb)およびＨＴＭＬ用１６進数Ｖ(16)とがそれぞれ配置されている。ＲＧＢ換算値Ｖ(rgb)は主としてＤＴＰにおいて色を選定するのに用いられる。一方、ＨＴＭＬ用１６進数Ｖ(16)は主としてＷebデザインにおいて色を選定するのに用いられる。各表示枠Ｆに付されるＨＴＭＬ用１６進数Ｆ(16)のうち、国際安全色に対応する色を表示した表示枠には、その色が国際安全色であることを示すように、アンダーライン、符号、或いはその他の適当な指示手段が付されている（図示の場合、ＨＴＭＬ用１６進数Ｆ(16)にアンダーラインを付している。）。
【００２４】
本発明のカラーチャートは、用紙をジグザグ状に折り畳むように所定の数の列毎（図示の場合、３列毎）に交互に山折り４(1)、谷折り４(2)されるのが好ましい。ジグザグ状に折り畳めることは、カラーチャートを簡単に広げて全部の表示枠を一度に見ることができる一方、収納時の容積を小さくすることができるだけでなく、用紙の一方の短辺側の列２(1)を他方の短辺側の列２(m)に隣接させることにより、色立体的な機能を具備させて、色の変化を連続して把握することができる。このことは、特に、列２(1)と列２(m)との間の色の違いを、他の列相互間におけると同様に把握することができる利点を付与できることは容易に理解されよう。この作用効果をより確実にするために、用紙の少なくとも一方の端部には他方の端部との重ね合わせを確保するためのノリ代部分５（必ずしもそれに対向する端部に接着する必要はない。）が設けられているのが望ましい。
【００２５】
ここにおいて、図示していないが、前述した彩度基準表示枠Ｆ(cs)およびそれに関連して設けられる１組の彩度増加表示枠Ｆ(ci)を複数組で設けるように構成することもでき、この場合、追加の彩度基準表示枠には、彩度基準表示枠Ｆ(cs)に表示された色の色基準表示枠Ｆ(s)の色に対するに対する彩度の減少割合よりも小さな減少割合となる色が表示され、追加の１組の彩度増加表示枠は、追加の彩度基準表示枠に表示された色の明度を段階的に大きくした色をそれぞれ表示するように構成される。また、追加の彩度基準表示枠および追加の彩度増加表示枠は１組のみに限定されるものではなく、複数組設けることもできることは容易に理解されよう。この場合、複数の彩度基準表示枠は、前述から明らかなように、色基準表示枠Ｆ(s)から離間するに従って彩度の低下が順次に小さくなるように選定される。
【００２６】
【発明の効果】
本発明によれば、各列において中央の表示枠に暗色が表示されそして両端に行くに従って順次に明色となるように配列されると共に、列毎に順次に異なった色相の色が連続的に変化して表示されるため、類似してはいるが異なる色が並んで表示されることになり、これにより、色の違いを直感的に把握できると共に、従来のカラーチャートにおけるように、所望の色を選定するために複数ページを比較検討する煩雑さを回避して直接的に選定することができる。また、プロセスカラー値と共にＲＧＢ換算値およびＨＴＭＬ用１６進数が各表示枠に設けられているため、ＤＴＰやＷebデザインにおいて色を設定する際に、所望の色に簡単に設定することができる。更に、国際安全色であることを示すアンダーライン等の指示手段が国際安全色のＨＴＭＬ用１６進数の表示枠に付されていることにより、Ｗebデザインにおいて国際安全色であるか否かを簡単に認識でき、それにより、意図しない色がホームページ等で表示されてしまうのを確実に回避できる。
【００２７】
また、用紙をジグザグ状に折り畳めるようにしてあることにより、カラーチャートを簡単に広げて全部の表示枠を一度に見ることができ、かつ、用紙の一方の短辺側の列を他方の短辺側の列に隣接させることにより、色立体的な機能を具備することが可能となり、色相の変化を連続して把握できる。また更に、各色基準列２(s)の各基準表示枠の近傍またはその中に、その列の色基準表示枠に表示される色の慣用色名を表わす記号がそれぞれ付されていることにより、基準色がどれであるかを簡単かつ確実に把握することができ、更に、各表示枠内に白抜きおよび墨乗せした記号または文字が表示されていることにより、実際にＣＲＴに表示させたり、印刷したりしたときに文字等がどのように表示されるかを前もって判断することができる。更にまた、各明度変化表示枠および各彩度変化表示枠に、対応するそれぞれの基準表示枠に表示された色に対する変化の程度を示す数値が表示されていることにより、そこに表示されていない中間の色を感覚的に容易に把握することができる。
【図面の簡単な説明】
【図１】  本発明の実施例によるカラーチャートの概要を示す図である。
【図２】  図１に示すカラーチャートの列の１つを拡大して示す部分図である。
【符号の説明】
１    用紙                           ２(1)〜２(m)    列
２(s)    色基準列                    ３(1)〜３(n)    桁
４(1)    山折り                      ４(2)    谷折り
５    ノリ代部分                     Ｆ    表示枠
Ｆ(cd)    彩度減少表示枠             Ｆ(ci)    彩度増加表示枠
Ｆ(cs)    彩度基準表示枠             Ｆ(ld)    明度減少表示枠
Ｆ(li)    明度増加表示枠             Ｆ(s)    色基準表示枠
Ｒ(c)    明度変化の数値              Ｒ(l)    明度変化の数値
Ｖ(16)    ＨＴＭＬ用１６進数         Ｖ(p)    プロセスカラー値
Ｖ(rgb)    ＲＧＢ換算値
【図１】
0004571725.tif 000002
【図２】
0004571725.tif 000003